(57)【要約】  液漏れの可能性を低減する配管取付物の設置を可能にするトイレフランジの改良された導入方法に関する。本方法は、トイレフランジのハブと、ハブから延在する基礎フランジを有するハブと、筒状部材の表面への排水管の内表面又は外表面の密着装着と、下張床の上表面上への基礎フランジの固定とを含む。シーリング材の第１層は基礎フランジの上表面に塗布され、シーリング材の第１層により基礎フランジの上表面へ床材薄膜が固定される。シーリング材の第２層は基礎フランジと取付リングとの間に取り付けられる床材薄膜の上表面へ塗布される。本方法は、トイレの排水管への接続のための２部構成トイレフランジを使用するように前以て構成される。２部構成トイレフランジは、排水管への密着接続に適した筒状ハブと、ハブから径方向へ延在する環状フランジと、取付リングと、取付リングと環状フランジとの間への床材薄膜の取付手段とを含む。【選択図】図１
2013513048.tif 000002
【特許請求の範囲】
【請求項１】
下張床を通して排水管にトイレフランジを接続する方法であって、
（i）第１筒状部材を有するハブと、
（ii）前記ハブから延在する基礎フランジと、
を備えるトイレフランジを提供する提供ステップと、
前記排水管へ前記第１筒状部材を密着接続する密着接続ステップと、
前記下張床の表面の上へ、前記トイレフランジの前記基礎フランジを固定する基礎フランジの固定ステップと、
前記基礎フランジの上表面へ床材薄膜を固定する床材薄膜の固定ステップと、
前記基礎フランジ及び取付リングの間へ床材薄膜を取り付ける取付ステップと
を含む方法。
【請求項２】
請求項１記載の方法であって、
前記床材薄膜の固定ステップは、
前記基礎フランジの前記上表面へのシーリング材の第１層の塗布と、
前記シーリング材の第１層への前記床材薄膜の接着と、
を含む方法。
【請求項３】
請求項２記載の方法であって、さらに、
前記取付ステップの前に前記床材薄膜の上表面へのシーリング第２層の塗布と、
前記取付ステップの後に、前記シーリング材の第１層及び前記シーリング材の第２層の間への前記床材薄膜の設置と
を含む方法。
【請求項４】
請求項１記載の方法であって、
前記基礎フランジが第１筒状部材から延在している方法。
【請求項５】
請求項１記載の方法であって、
前記ハブの第２筒状部材から前記基礎フランジが延在している方法。
【請求項６】
請求項５記載の方法であって、
前記ハブの前記第２筒状部材が前記ハブの前記第１筒状部材と同軸である方法。
【請求項７】
請求項１記載の方法であって、
前記基礎フランジが前記ハブの第２筒状部材から延在しており、前記第２筒状部材は前記ハブの前記第１筒状部材と流体が流れるように接続している方法。
【請求項８】
請求項３記載の方法であって、
前記取付ステップは、
前記シーリング材の第２層の上への前記取付リングの設置と、前記下張床の上への前記取付リングの固定と、
を含む方法。
【請求項９】
請求項３記載の方法であって、
前記取付ステップは、
前記シーリング材の第２層上への前記取付リングの設置と、
前記基礎フランジを通過しているねじ状固定部での前記下張床への前記取付リングの固定と
を含む方法。
【請求項１０】
請求項３記載の方法であって、
ａ）前記第１筒状部材は、前記基礎フランジの下に存在し、かつ、前記ハブはさらに前記基礎フランジの上に第２筒状部材を含み、前記第２筒状部材は、第１ねじ状接合部を有する外部表面を備え、
ｂ）前記取付リングは、第２ねじ状接合部を有する内部表面を備え、
ｃ）前記取付ステップは、前記取付リングが前記シーリング材の第２層に接触するまでの前記第１ねじ状接合部の上への前記第２ねじ状接合部のねじ止めを含む、
方法。
【請求項１１】
請求項１記載の方法であって、
下張床の上表面上への前記トイレフランジの前記基礎フランジの前記固定ステップが、
ａ）前記下張床へのシーリング材の層の塗布と、
ｂ）前記基礎フランジの下表面の内周縁へのシーリング材ダムの装着と、
ｃ）前記シーリング材の層を介した前記下張床への前記基礎フランジの固定と
を含む方法。
【請求項１２】
請求項１記載の方法であって、
下張床の上表面上への前記トイレフランジの前記基礎フランジの前記固定ステップが、
ａ）前記下張床へのシーリング材の層の塗布と、
ｂ）前記基礎フランジの下表面内の環状陥凹部へのシーリング材ダムの装着と、
ｃ）前記シーリング材の層を介した前記下張床への前記基礎フランジの固定と
を含む方法。
【請求項１３】
仕上床を有する既存の構造へのトイレフランジの装着方法であって、
自身から延在している基礎フランジと第１筒状部材とを有する筒状ハブを備えるトイレフランジを提供する提供ステップと、
前記基礎フランジの下表面の内周縁へシーリング材ダムを装着する装着ステップと
前記仕上床内の穴を通過している排水管の内表面又は外表面へ前記筒状ハブの表面を密着装着する密着装着ステップと、
仕上床の上表面へシーリング材の層を塗布する塗布ステップと、
前記シーリング材の層を介した前記仕上床又は床材薄膜へ基礎フランジの固定する固定ステップとを含み、
前記シーリング材ダムは前記仕上床内の前記穴へのシーリング材の流入を防止する方法。
【請求項１４】
排水管への接続のためのトイレフランジであって、
前記排水管への密着接続に適した第１筒状部材を有する筒状ハブと、
前記ハブから径方向へ拡張する環状フランジを含む取付集合材と、
取付リングとを備え、
前記取付集合材は、前記取付リングと前記環状フランジとの間に床材薄膜を取り付けるのに適している
トイレフランジ。
【請求項１５】
請求項１２記載のトイレフランジであって、
前記環状フランジは、前記ハブの前記第１筒状部材から延在しているトイレフランジ。
【請求項１６】
請求項１２記載のトイレフランジであって、
前記環状フランジは、前記ハブの第２筒状部材から延在しており、前記第１筒状部材と前記第２筒状部材とが同軸であるトイレフランジ。
【請求項１７】
請求項１２記載のトイレフランジであって、
前記基礎フランジが前記ハブの第２筒状部材から延在しているトイレフランジ。
【請求項１８】
請求項１２記載のトイレフランジであって、
さらにボルトと、前記取付リング及び環状フランジの間に存在する前記床材薄膜とを備え、前記ボルトは、下張床へ前記取付リングと前記環状フランジとを固定するトイレフランジ。
【請求項１９】
請求項１２記載のトイレフランジであって、さらに、
前記取付リングの内部表面上の第１ねじ状表面と、
前記取付リングの下縁から径方向へ延在している環状フランジと、
前記ハブの外部表面上の第２ねじ状表面と、
前記取付リングの下縁から径方向へ延在している前記環状フランジと前記筒状ハブから径方向に延在している前記環状フランジとの間に床材薄膜を取り付けるように、前記第２ねじ状表面上へのねじ止めに適している前記第１ねじ状表面とを備え、
前記第２ねじ状表面は、前記筒状ハブから径方向へ延在している前記環状フランジの上に延在しているトイレフランジ。
【請求項２０】
排水管への接続のためのトイレフランジ封止であって、
前記排水管への密着接続に適した第１筒状部材を有する筒状ハブと、
前記ハブから径方向に延在する環状フランジと、
取付リングと、
前記取付リング及び前記環状フランジの間への床材薄膜の取付手段と
を備える封止。
【請求項２１】
請求項１８記載のトイレフランジ封止であって、
前記取付手段は、下張床へ前記取付リング及び前記環状フランジを固定するボルトを含むトイレフランジ封止。
【請求項２２】
請求項１８記載のトイレフランジ封止であって、
前記取付手段は、
前記取付リングの内部表面上の第１ねじ状表面と、
前記取付リングの下縁から径方向へ延在する環状フランジと、
前記ハブの外部表面上の第２ねじ状表面と、
前記取付リングの下縁から径方向に延在する環状フランジ及び前記筒状ハブから径方向に延在する前記環状フランジの間に床材薄膜を取り付けるように、前記第２ねじ状表面上へねじ止めするのに適している前記第１ねじ状表面とを含み、
前記第２ねじ状表面は、前記筒状ハブから径方向へ拡張している前記環状フランジの上に延在しているトイレフランジ封止。
【請求項２３】
請求項１８記載のトイレフランジ封止であって、
前記取付手段は、
前記取付リングの外部表面上の第１ねじ状表面と、
前記取付リングの上縁から径方向に延在する環状フランジと、
前記ハブの内部表面上の第２ねじ状表面と、
前記取付リングの上縁から径方向へ延在している前記環状フランジ及び前記筒状ハブから径方向へ延在してる前記環状フランジの間に床材薄膜を取り付けるように、前記第２ねじ状表面上へねじ止めするのに適している前記第１ねじ状表面とを備えるトイレフランジ封止。
【発明の詳細な説明】
【技術分野】
【０００１】
本出願は、水洗トイレの改良された封止に関する。
【背景技術】
【０００２】
（関連出願の相互参照）
本出願は、２００９年１２月８日に出願された米国仮出願第６１／１６６，４１２号及び２０１０年１月１３日に出願された米国仮出願第６１／２９４，６４８号の利益を主張するものであり、これらの仮出願の全ての開示は、参照により本明細書に組み込まれる。
（背景）
【０００３】
配管工事においては、トイレフランジ（ｃｌｏｓｅｔ  ｆｌａｎｇｅ）は、トイレを床に取付け、トイレ排水と排水管とを接続する一種の配管（特に、フランジの一種）である。その名前は、トイレの伝統的な名前である言葉「水洗トイレ（ｗａｔｅｒ  ｃｌｏｓｅｔ）」に由来する。典型的なトイレフランジは、ＡＢＳ、ＰＶＣ又はフランジの頂点に取り付けられている丸鋼を有する金属ハブから構成される。他の形式は、銅、真鍮、ステンレス鋼、又はプラスチック材料から形成される。
【０００４】
典型的な取付では、トイレフランジは、排水管の周りに結合したハブと共に、床の上に取り付けられる。ワックスリングは、フランジと便器の底との間隙を封止するために使用される。便器は、床でなくフランジにボルト留めされる。既存の技術は、ワックスリングからの便器の排水位置までの水の液漏れを許していた。この水を押さえるために、先行技術において、仕上床の上に設置される不浸透層の提供が提案されている。当該不浸透層は、トイレフランジの取付フランジを封止する。
【０００５】
しかしながら、そのような不浸透層は、床材薄膜を封止しない。それ故に、便器、浴槽又は洗面台から漏れ出た又はあふれ出た水は、配管工事のために作成された開口部の周り及び不浸透層の下を流れうる。これは、グラウトラインが原因の陥凹域を有するタイル床の特有の問題である。不浸透層下のグラウトラインは、トイレ排水管のための床内の開口部への、それゆえ床の下への、水の巡行路を提供する。
【発明の概要】
【０００６】
改良された水を漏らさぬトイレフランジの現状の必要性に鑑みて、様々な典型的な実施形態の概要を提供する。様々な実施態様を顕在化させ、かつ、紹介する以下の概要において、いくつか単純化及び省略がなされているが、本発明の範囲の限定をするものではない。好ましい典型的な実施形態の詳細な説明は、当該技術分野における通常の知識を有する者が後述する発明を生産かつ使用することができる程度に適当なものである。
【０００７】
多くのタイル床は、グラウトラインのひび割れ、又は液漏れが起こった場合に、水を保持する薄膜を当該タイルの下に備える。床内の開口部を通じてトイレ排水管及びトイレフランジへの水の液漏れは、配管システムにおいて、又は、対して、タイル床の下の薄膜又はフローリングの他の不浸透層の統合によって防止されうる。本明細書に記述されている通りに、これは、トイレフランジにより生じる床内の浸透の床材薄膜の封止により実現される。本明細書に記述されたようなトイレフランジと排水管との間の接続は、ＰＶＣ、ＡＢＳ、又は鋳鉄管で実現される。
【０００８】
いくつかの実施形態は、トイレフランジのハブの第１筒状部材の表面への排水管の内表面又は外表面の密着装着による、トイレフランジの設置方法に関連する。トイレフランジは、ハブから延在している基礎フランジを有する。基礎フランジは、下張床の上表面の上に固定されている。次のステップは、基礎フランジの上表面へのシーリング材の第１層の塗布と、シーリング材の第１層への床材薄膜の接合による、基礎フランジの上表面への床材薄膜の固定と、床材薄膜の上表面へのシーリング材の第２層の塗布と、基礎フランジ及び取付リングの間の床材薄膜の取付とを含む。
【０００９】
本明細書で開示されているトイレフランジのある実施形態では、ハブから延設されている基礎フランジは、前記ハブの前記第１筒状部材から延設されている。他の実施形態では、ハブから延設されている基礎フランジは、前記ハブの第２筒状部材から延設されている。ハブの第１及び第２筒状部材は、必須ではないが、同軸でもよい。ある実施形態では、ハブは、排水管の内表面又は外表面に密着接続する第１筒状部材と、ハブの第２筒状部材とを備え、基礎フランジがハブの第２筒状部材から延設されている。そのような実施形態では、第２筒状部材は、第１筒状部材と流体が流れるように接続されている。
【００１０】
本明細書に記述されている方法の様々な実施形態では、取付ステップは、シーリング材の第２層上への取付リングの設置と、取付リングの下張床への固定とを含む。とりわけ、下張床への取付リングの固定ステップは、ねじ又はボルトのような、ねじ状固定部での下張床への取付リングの固定を含み、当該ねじ状固定部は、取付リングと下張床との間の基礎フランジを通過する。
【００１１】
下張床への取付リングの他の固定方法は、ハブとハブから延設されている基礎フランジとを備えるトイレフランジの使用を含む。ハブは、前記基礎フランジの下にある第１筒状部材と、前記基礎フランジの上にある第２筒状部材とを有し、第２筒状部材は、第１ねじ状接合部を有する外部表面を備える。取付リングは、第２ねじ状接合部を有する内部表面を備え、該第２ねじ状接合部は、該第１ねじ状接合部の上にねじ止めされうる。基礎フランジと取付リングとの間への床材薄膜の取付ステップは、取付リングがシーリング材の第２層に接触するまでの、前述の第１ねじ状接合部に対する、第２ねじ状接合部のねじ止めを含む。
【００１２】
本明細書で開示された方法のある実施形態では、下張床の上表面上へのトイレフランジの基礎フランジの固定ステップは、下張床へのシーリング材の第３層の塗布と、前記基礎フランジの下表面の内周縁へのシーリング材ダムの装着と、前記シーリング材の第３層を介した下張床への基礎フランジの固定とを含む。
【００１３】
いくつかの実施形態は、仕上床を有する既存の構造へのトイレフランジの装着の方法に関連し、当該トイレフランジは、ハブから延設されている基礎フランジを有するハブを備える。当該方法は、基礎フランジの下表面の内周縁へのシーリング材ダムの装着と、筒状ハブの筒状部材の表面への、仕上床内の穴を通過した排水管の内表面又は外表面の密着装着と、仕上床の上表面へのシーリング材の層の塗布と、基礎フランジの、シーリング材の層を介した仕上床又は床材薄膜への固定とによって実現される。当該シーリング材ダムは、仕上床内の穴へのシーリング材の流れ込みを防止する。
【００１４】
本明細書で開示されたいくつかの実施形態は、トイレの排水管への接続のための２部構成のトイレフランジに関連する。トイレフランジは、排水管への密着接続に適している筒状のハブと、当該筒状ハブから径方向へ延在している環状フランジと、取付リングと、取付リングと環状フランジとの間に床材薄膜を取り付ける手段とを含む。他の実施形態は、第１筒状部材を有するハブを含む２部構成のトイレフランジに関連し、当該第１筒状部材は、排水管への密着接続に適しており、取付集合材は、
ａ）  前記ハブから径方向へ延在する環状フランジと、
ｂ）  取付リングと、
を含み、取付リング及び環状フランジは、取付リングと環状フランジとの間への床材薄膜の取付に適している。
【００１５】
更なる実施形態は、便器の排水管への接続のための２部構成トイレフランジ封止に関し、排水管への密着接続に適している筒状ハブと、当該筒状ハブから径方向へ延在する環状フランジと、取付リングと、取付リングと環状フランジとの間への床材薄膜の取付手段であって、下張床への取付リングと環状フランジとを固定する少なくとも１つの筒状ねじ状固定部を含む取付手段を備える。
【００１６】
追加の実施形態は、便器の排水管への接続のための２部構成のトイレフランジに関し、排水管への密着接続に適している筒状ハブと、当該筒状ハブから径方向へ延在する環状フランジと、取付リングと、取付リングと環状フランジとの間への床材薄膜の取付手段であって、取付リングの内部表面上に第１ねじ状表面を含む取付手段と、取付リングの下縁から径方向へ延設されている環状フランジと、筒状ハブの外部表面上の第２ねじ状表面とを備え、当該第２ねじ状表面は、筒状ハブから径方向へ延設されている環状フランジの上に延設されている。当該第１ねじ状表面は、取付リングから延設されている環状フランジと筒状のハブから延設されている環状フランジとの間に床材薄膜を取り付けるように、第２ねじ状表面上へのねじ止めに適している。
【図面の簡単な説明】
【００１７】
様々の典型的な実施形態のよりよい理解のため、付随する図面への参照が設けられている。
【図１】２部構成のトイレフランジ封止及びトイレの取付でのその使用に係る第１実施形態の分解図。
【図２】２部構成のトイレフランジ封止及びトイレの取付でのその使用に係る第２実施形態の分解図。
【図３】図２の実施形態で使用するためのトイレフランジの基礎部の実施形態を示す図。
【図４】図２の実施形態で使用するための取付リングの実施形態を示す図。
【図５】取付リング集合材の実施形態の２面図。
【図６】取付リング集合材の実施形態の２面図。
【図７】取付リング集合材の他の実施形態を示す図。
【図８】図７に示された取付リング集合材の他の実施形態で使用する取付リングを示す図。
【図９】図７に示された取付リング集合材の他の実施形態の便器の基礎部内の取り付けを示す図。
【図１０】図７に示された取付リング集合材を使用する排水管への便器の接続を示す図。
【図１１】基礎フランジの他の実施形態及び図２の実施形態で使用する取付リングの実施形態を示す図。
【図１２】２部構成のトイレフランジ封止の実施形態と新たな構造での便器の取付でのその使用とを示す図。
【図１３】トイレフランジ封止の実施形態及びシーリング材ダムを使用する既存の構造での便器の取付でのその使用を示す図。
【図１４】管への接続のためのエラストマー封止部を有するトイレフランジ封止の実施形態を示す図。
【図１５】２部構成のトイレフランジの他の実施形態を示す図。
【図１６】図１５の実施形態の分解図。
【発明を実施するための形態】
【００１８】
（発明の詳細）
構成要素及びステップ等への参照符号を有する図面を参照しながら、いくつかの典型的な実施態様の広範な局面を説明する。
【００１９】
図１に示すように、床とトイレフランジとの間の改良された封止は、基礎部１０２及び取付リング１０４を包含する２部構成のクロセットフランジ１００により実現されうる。不浸透性のシート又はテンプレートのような不浸透性床カバー２は、下張床、デッキ材、又は床基材４の上に直接設置され、下張床、デッキ材、又は床基材４は、木材、金属又はコンクリートから作成されうる。新しい構造では、不浸透性床カバー２は、トイレフランジ１００の基礎部１０２に接着される。トイレフランジ１００の基礎部１０２は、ハブ１０６及び当該ハブから延在している環状基礎フランジ１０８を有する。ハブ１０６は、下張床４の穴６を通じてトイレの排水管８に延在しうるように、下張床４の穴６を通して設置される。ハブ１０６の下側筒状部材１０６ａの内表面は、排水管８の外表面へ接着固定又は結合される。シーリング材１０の円環状層は、トイレフランジ１００の環状基礎フランジ１０８の下表面へ塗布される。好ましくは、シーリング材ダム１２は、トイレフランジ１００の環状基礎フランジ１０８の内縁に設置される。図１に示すように、シーリング材１０の円環状層は、下張床４に圧接され、そして、トイレフランジの基礎部１０２は、下張床４にボルト、好ましくはシーリング材１０の層を通過するボルト１４で固定される。シーリング材ダム１２は、もし存在すれば、下張床２内の穴６を通じての下張床２及び環状フランジ１０８の間のシーリング材の液漏れを防止する。
【００２０】
シーリング材１６の第２層は、トイレフランジ１００の環状フランジ１０８の上表面に塗布される。不浸透性床材薄膜２は、シーリング材１６の第２層に固定される。不浸透性床材薄膜２は、穴を有し、その穴を通じて便器１８の排水と排水管路との間の接続を許可する。シーリング材２０の第３円環状層は、不浸透性床材薄膜２の上で、不浸透性シート２を貫通する穴の周辺に設置される。不浸透性シート又は薄膜２は、筒状ハブ１０６の上側筒状部材１０６ｂ上に装着する筒状取付リング１０４により固定される。
【００２１】
ある実施態様では、基礎フランジ１０８は、ハブ１０６の下側筒状部材１０６ａ及びハブの上側筒状部材１０６ｂのいずれか一方から、径方向へ拡張される。ハブの上側及び下側筒状部材は、同軸でもよいが、必ずしも同軸である必要はない。ある実施態様では、ハブの上側及び下側筒状部材は、湾曲又は屈曲している不浸透性部材により区分されていてもよく、その場合、一方（第１）の筒状部材の軸と他方（第２）の筒状部材の軸はある角度で交わる。他の実施形態では、ハブの上側及び下側筒状部材は、Ｓ字状に湾曲した部材によって分離されていてもよく、その場合、上側及び下側筒状部材は、互いに平行であるが、互いに離間している。
【００２２】
図１に従った実施形態では、基礎フランジ１０８は、ハブの上側筒状部材１０６ｂから径方向に延在する。取付リング１０４は、ねじ状内表面１１２、及びねじ状筒状リング又はチューブ１１０の下端から拡張された環状フランジ１１４を有する、筒状リング又はチューブ１１０であってもよい。そのような実施形態では、筒状チューブのねじ状内表面は、トイレフランジ１００の筒状ハブ１０６の少なくとも上側部材１０６ｂに設けられたねじ状外表面１１６の上に、取付リング１０４のフランジ１１４がシーリング材２０の第３円環状層に接触するまでねじ止めされる。不浸透性シート２は、その場合、下側環状フランジ１０８と上側取付リング１０４との間に固定される。便器１８は、その場合、トイレフランジ１００にボルト締めされる。
【００２３】
フローリングキャップシート又はタイル薄膜のような不浸透性床材薄膜２とトイレフランジ１００の取付リング１０４との間のシーリング材２０の円環状層は、不浸透性層２の上側に流れる水が、不浸透性層２内の穴を通じて及び不浸透性層２の下へ流れることを防止する。フローリングキャップシート又はタイル薄膜のような不浸透性床材薄膜２とトイレフランジ１００の環状フランジ１０８との間のシーリング材１６の円環状層もまた、不浸透性層２の穴に浸透し、不浸透性層２の下を流れうる水が、下張床４内の排水管８への穴６に到達することを防止する。従って、水はトイレ排水ラインへの穴には到達することができず、排水ライン周りの水の漏れは防止される。
【００２４】
トイレフランジ１００の基礎部１０２は、図３及び図３Ａに、より詳細が示されている。ある実施形態では、トイレフランジ１００の基礎部１０２は、ハブから垂直に延在している環状フランジ１０８を有する該筒状ハブ１０６を備える。ある実施形態では、図３Ａに示すように、ハブ１０６は、フランジ１０８の上方に延在している上側部材１０６ｂと、フランジ１０８の下方に延在している下側部材１０６ａとを備える。フランジ１０８の上方には、ハブ１０６の上側部材１０６ｂの外表面１１６がねじ状になっている。環状フランジ１０８は、図３に示すように円環状であってもよいし、又は、図６に示すように実質的に四角形、例えば正方形であってもよい。ボルト受け穴３１８は、環状フランジ１０８内に形成されてもよい。ボルトの上方のヘッダを受け止めるための刻み目３２０は、基礎部１０２のハブ１０６の中に形成されてもよい。
【００２５】
図３に示される基礎部１０２は、図４及び図４Ａに示される取付リング１０４を包含する２部構成のトイレフランジ１００に使用される。取付リング１０４は、ねじ状内面１１２を有する筒状リング１１０、及びそれらから拡張された環状フランジ１１４を包含する。
【００２６】
図３のトイレフランジ基礎部及び図４の取付リングを使用して構成されるトイレフランジ封止の代替図は、図２に示される。便器用の排水管８は、下張床４の穴６を通過する。ある実施形態では、図２に示すように、排水管８の外表面は、トイレフランジのハブ１０６の筒状下側部材１０６ａの内表面に封止される。他の実施形態では、排水管８の内表面は、トイレフランジのハブ１０６の外表面に封止される。前記封止は、ハブの排水管への接着結合又は溶接により実現されてもよく、又は排水管の表面に接着するトイレフランジの表面上へのガスケットにより実現されてもよい。基礎フランジ１０８は、トイレフランジ１００の軸に垂直に、トイレフランジ１００のハブ１０６から延在する。基礎フランジ１０８は、下張床４の上表面上に配置され、所定の場所にボルト留めされる。シーリング材１６の層は、基礎フランジ１０８の上表面へ塗布される。床材薄膜２は、シーリング材１６により、基礎フランジ１０８の上表面へ固定される。シーリング材２０の第２層は、床材薄膜２の上表面へ塗布される。トイレフランジのハブ１０６は、基礎フランジの上に延在し、ねじ状外表面を有する上側部材１０６ｂを形成する。
【００２７】
ねじ状内表面１１２を有するチューブ又はリング１１０を備える取付リング１０４は、取付リング１０４の環状フランジ１１４が床材薄膜２の上表面上のシーリング材２０の第２層と接触するまで、ハブのねじ部上にねじって取り付けられる（ねじ止めされる）。好ましくは、取付リング１０４が所定の場所にねじ止めされるとき、ボルト受け刻み目３２０は、図２に示されるように、チューブ又はリング１１０の上縁よりも上に露出する。ボルト２２２は、ボルト受け刻み目３２０内に設置されてもよく、便器１８は、ボルト２２２上に設置されてもよい。もし、水が設置後に床材薄膜２上にこぼれても、その水は、第２シーリング材層２０に接触するまで、床材薄膜２及び基礎フランジ１０８の上を流れ、そして、シーリング材の層により確定される空間の周りを流れる。水は、基礎フランジの下若しくはその中、又は下張床内の穴を通過して流れない。
【００２８】
発明の更なる実施態様では、図５及び図６に示すように、取付リング集合材５００を利用する。取付リング集合材５００は、一般的には０．５インチから２．５インチまでの所定の高さを有する管状部材５１０を備える。管状部材５１０は、先端部、底端部、及び管状部材５１０の先端部から径方向外方に延在している環状フランジ５２０を有する。基板５３０もまた、管状部材５１０の外表面から垂直方向へ延在しており、前記基板５３０は、管状部材５１０の底面部から所定の高さに位置している。ある実施形態では、基板５３０の底表面は、環状フランジ５２０の先端表面から０．２５から１．５インチの位置にあるこの距離は、文字Ｈにより表現される。基板の底表面と管状部材の底端部との間の距離は、文字ｈで表現される。板３は、図６に示すように、実質上正方形基板の角に４つのボルト受け穴５４０と、前方及び後方の縁にボルト受け穴５５０とを有する。
【００２９】
環状フランジの先端表面は、そこから径方向へ延在する開放端部スロット集合材６１０を複数有する。一般的に、取付リング集合材５００は、管状部材５１０の底端部が下張床を通過する排水管と密着装着するように、波形鋼板、コンクリート又は木材から形成されうる下張床に形成された開口部内に設置されるように設計される。コンクリート床は、コンクリート床の先端表面が取付リング集合材５００の上端部と水平になるまで下張床上に注がれ、取付リング集合材５００の基板５３０を覆い隠す。便器の底面は、開放端部スロット集合材６１０から上側に延在する複数のボルトによって環状フランジ５２０の先端表面に固定され、各ボルトは柱身部及び頭部を有する。ナットは、所定の場所に便器の底面を固定するために使用される。
【００３０】
フランジ５００は、現在の環境に使用するため、フランジ５００の実質的正方形基板５３０を図７に示す実質的四角形基板５３０’に作り直すことによって、フランジ５００’を製造して修正してもよい。この修正は、図６に示すように基板５３０を線Ａ及びＢに沿って切断し、図７に示すように四角形基板５３０’が製造されることにより行われる。もし望めば、開放端部スロット集合材６０１の端部は、図６に示すように、フランジ５２０の接線である線Ｃに沿って切断されることにより、環状フランジ５２０の外縁にそろえられてもよい。フランジ５００とは異なり、現在の環境への使用のための修正としてのフランジ５００’は、図９に示すように、四角形基板５３０’がコンクリート層の下に位置するよりも便器１８の底内に直接的に装着するように設計されている。実質的四角形基板５３０’の形状は、便器１８の形状に一致するように設計されてもよい。もし、便器１８の底の側面が方向的に幅広い後端部から狭い前端部へと先細りになっているのであれば、実質的四角形基板５３０’は、図７に示すように、二等辺の台形であってもよい。もし、便器の底の側面が実質的に平行であれば、実質的四角形基板５３０’は、図１１に示すように、長方形であってもよい。これらの記述は、存在する基板の修正に関しての基板の形状を説明したが、基板５３０’は、既存の物品からの修正ではなく、所望の形状を有するフランジを直接的に生成することにより提供されてもよい。
【００３１】
図１０に示すように、修正フランジ５００’の実質的四角形基板５３０’は、穴６の中に排水管８に向けて延在する、管状部材５１０の底端部と共に、木材、鋼鉄又はコンクリート下張床４の上に設置される。排水管８の外表面は、修正フランジ５００’の管状部材５１０の底端部の内表面に封止している。実質的四角形基板５３０’は、トイレフランジ５００’のハブ又は管状部材５１０から、トイレフランジ５００’の軸に垂直に延在しており、下張床４の上表面上に設置され、所定の場所にボルト止めされる（ボルトは、明快さのために図示しない。）。シーリング材１６の筒状層は、四角形基板５３０’の上表面に塗布される。床材薄膜２は、シーリング材１６によって、実質的四角形基板５３０’の上表面へ固定される。
【００３２】
図１０に示すように、シーリング材２０の第２円環状層は、四角形板５３０’の上の床材薄膜２の上表面に塗布される。修正フランジ５００’の管状ハブ５１０は、四角形板５３０’の上方に延在している。取付リング８００は、床材薄膜２上のシーリング材２０の第２層上の管状ハブ５１０の周りに設置される。
【００３３】
図８を参照して、取付リング８００は、基板５３０’の形状に一致しうるように、実質的に四角形の形状を有してもよい他の選択として、取付リング８００は、円環状の形状を有してもよい。取付リング８００は、修正フランジ５００’の管状部材５１０に適応するように、リング８００の均質の厚さを通る穴８１０を有してもよい。取付リング８００の内縁は、管状部材５１０の先端部から垂直に延在している環状フランジ５２０の上表面上に径方向に延在する開放端部スロット集合材６１０に適応するように設計するため、切り抜かれた刻み目８２０を有してもよい。ある実施形態では、開放端部スロット集合材６１０の端部は、図６に関して論じたように、フランジ５００’の環状フランジ５２０の外縁にそろえるように作成されてもよい。このような場合、取付リング８００内の切り抜かれた刻み目８２０は、必須ではない。取付リング８００内のボルト受け穴８３０は、修正フランジ５００’内のボルト受け穴５５０と一致するように配置される。
【００３４】
図１０に戻って、取付リング８００は、取付リング８００が床材薄膜２の上表面上のシーリング材２０の第２層に接触するように、管状部材５１０から延在している四角形基板５３０’上に設置される。もし開放端部スロット集合材６１０が環状フランジ５２０の上に存在する場合は、取付リング８００は、径方向に延在する開放端部スロット集合材６１０に適応するように設計された切り抜かれた刻み目８２０を有してもよい。開放端部スロット集合材６１０が環状フランジ５２０の上に存在しない場合、又は環状フランジ５２０の縁にそろえられている端部を有する場合、切り抜かれた刻み目８２０は取付リング８００上に必要とされない。取付リング８００は、取付リング内の穴８３０と、修正フランジ５００’の四角形基板５３０’内の対応する穴５５０とを経由して、木材、鋼鉄又はコンクリート下張床４の中へボルトを打ち込むことにより、下張床４にボルト止めされる。
【００３５】
便器１８は、便器の放水口（図１０に不図示）が修正フランジ５００’の管状部材５１０の中に密着装着し、フランジ５００’の実質的四角形基板５３０’が、便器１８の底の中に装着するように、修正フランジ５００’上に設置される。これは、図１０に矢印Ｗの方向で示すように、便器から排水管８へ水が流れることを可能にする。便器１８は、便器の底面内の穴と、取付リング内及び修正フランジの四角形基板内の対応する穴とを通ってコンクリート下張床内の中へのボルトの打ち込みによって、フランジ５００’の上に設置されてもよい。代替として、上向きボルト１００２のヘッド１００４は、図１０に示すように、修正フランジ５００’の環状フランジ５２０の上表面上の径方向に延在する開放端部スロット集合材６１０内に設置されてもよい。便器１８は、便器の放水口が修正フランジ５００’の管状部材５１０の中に密着装着し、かつ、径方向に延在する開放端部スロット集合材から延在している上向きボルト１００２が便器１８の底内の穴の通過に装着するように、修正フランジ５００’の上に設置される。フランジ５００’の実質的四角形基板５３０’は、また、便器１８の底内に装着し、その結果、便器の底の縁が下張床４と平坦に装着する。ナット１００６は、所定の位置に便器がうまく固定されるように、上向きに延在するボルト１００２の上にねじ止めされてもよい。
【００３６】
図１１は、基礎フランジ１１００及び取付リング１１０２を含む、本発明のトイレフランジの更なる実施態様を示す。基礎フランジ１１００は、側面図１１と平面図１１Ｂに示すように、筒状ハブ１１０４とハブ１１０４から垂直に伸びる環状フランジ１１０６とを有する。ある実施形態では、筒状ハブ１１０４は、筒状ハブが、ある内直径、例えば３インチ又は４インチ、を有する排水管の外側に密着しながら滑り込めるようなある内直径を有する。ある実施形態では、筒状ハブ１１０４は、筒状ハブが、例えば３インチ直径パイプ又は４インチ直径パイプであるような排水管の中に密着しながら滑り込めるようなある外直径を有する。ある実施形態では、筒状ハブは、３インチ直径パイプ又は４インチ直径パイプのいずれかに接続されうる。そのような実施形態では、筒状ハブ１１０４は、筒状ハブが４インチ直径パイプの中に密着して滑り込めるようなある外直径と、そして、筒状ハブが３インチ直径パイプの外側に密着して滑り込めるようなある内直径とを有する。フランジ１１０６の上方に、ハブ１１０４の外表面は、ねじ部１１０８を含む。上向きボルトのヘッドを受けるための刻み目１１１０は、図１１Ｂに示すように、基礎フランジ１１００のハブ１１０４内に形成されてもよい。環状フランジ１１０６は、便器の底面内へ装着する形状である実質的四角形であってもよい。図１１Ｂのある実施形態では、環状フランジ１１０６は、実質的に長方形である。取付リング１１０２は、図１１及び１１Ａに示すように、その内表面上にねじ部１１１４を有する筒状リング１１１２と、リング１１１２の下縁から外側に延在する環状フランジ１１１６とを備える。取付リング１１０２のねじ状内表面は、基礎フランジ１１００のハブ１１０４のねじ状外表面の上にねじ止めされうる。図１１Ｃの下に示すように、基礎フランジ１１００は、下表面上の二つの環状陥凹部１１１８及び１１２０を備えてもよい。内側環状陥凹部１１１８は、ハブ１１０４に隣接又は近接して設置され、図１１に示すように、独立気泡発泡ガスケット１１２２、又はエラストマーガスケットを受けるように設計されている。外側環状陥凹部１１２０は、シーリング材のある層を受けるように設計されている。
【００３７】
図１２は、新たな構造内での、図１１のトイレフランジの使用法を示す。便器のための排水管１２００は、下張床１２０４内の穴を通過する。排水管の外表面は、トイレフランジ１１００のハブ１１０４の内表面に封止されている。トイレフランジの基礎フランジ１１００の環状フランジ１１０６は、下張床１２０４の上表面上に設置され、所定の場所にボルト１２０６によりボルト止めされる。基礎フランジ１１００の環状フランジ１１０６の内側環状陥凹部１１１８（図１２に不図示）は、シーリング材ダムとして下張床に押し付けられている独立気泡発泡ガスケット１１２２又はエラストマーガスケットを含む。シーリング材１２０８の層は、環状フランジ１１０６の上表面へ塗布されている。床材薄膜１２１０は、シーリング材１２０８により環状フランジ１１０６の上表面に固定されている。万が一、環状フランジ１１０６の下へシーリング材が漏れた場合、シーリング材ダム１１２２は、シーリング材が下張床１２０４内の穴１２０２を通過して漏れることを防止する。
【００３８】
シーリング材１２１２の第２層は、床材薄膜１２１０の上表面に塗布される。取付リング１１０２のねじ状筒状リング１１１２は、取付リング１１０２の環状フランジ１１１６が床材薄膜１２１０の上表面上のシーリング材１２１２の第２層に接触するまで、ハブ１１０４上のねじ部１１０８の上にねじ止めされる。もし、水が設置後に床材薄膜の上にこぼれても、その水は、第２シーリング材層に接触するまで基礎フランジの上を流れ、そして、シーリング材の層により定義される空間の周りを流れる。水は、基礎フランジの下又はそれを通過して又は下張床内の穴を通過して、流れない。
【００３９】
図１３は、下張床１２０４の先端部上に仕上床１３００を有する既存の構造への、図１１のトイレフランジの組込みを示している。便器への排水管１２００は、下張床１２０４内の穴１２０２を通過する。筒状のハブ１１０４を有する基礎フランジ１１００を含むトイレフランジは、排水管の直径に応じて、既存の排水管上又は既存の排水管内へ密着して滑り込むことにより、既存の排水管上へ装着する。トイレフランジの基礎フランジ１１００の環状フランジ１１０６は、仕上床１３００の上表面上に設置され、ボルト１２０６により所定の場所にボルト止めされる。環状フランジ１１０６は、その下表面上に２つの環状陥凹部を有する（図１３に不図示）。基礎フランジ１１００の環状フランジ１１０６の内側環状陥凹部１１１８は、シーリング材ダムとして床に押し付けられている独立気泡発泡ガスケット１１２２又はエラストマーガスケットを含む。シーリング材ダムは、また、ワックスから形成されてもよい。基礎フランジ１１００の環状フランジ１１０６の外側環状陥凹部１１２０は、床１３００上に押し付けられているシーリング材層１３０２を含むシーリング材ダム１１２２は、シーリング材が下張床１２０４内の穴１２０２に入り込むのを防止する。取付リング１１０２（図１３に不図示）のねじ状筒状リングは、取付リングの環状フランジが基礎フランジに接触するまで、ハブのねじ部材上にねじ止めされうるしかしながら、それは、組込み設備には要求されない。しかしながら、もし、新しいフローリングがこれまでに設置されていれば、取付リング１１０２は、基礎フランジの上に新しいフローリングを取り付けるために使用される。それ故に、取付リング１１０２のハブ１１０４上へのねじ止め、及び将来の使用に備えたその状態の保持は望ましい。
【００４０】
図１４は、排水管の先端部上への取付のための、代替の圧縮トイレフランジを示す。これは、新たな構築内か改造された集合材内かのいずれかで実現されうる。トイレフランジは、ねじ状上部部材と筒状ハブ１４０２と筒状ハブ１４０２の上端部から下端部の間の筒状ハブ１４０２の中ほどから外側径方向に延在する環状フランジ１４０４とを有する基礎フランジ１４００を任意に備える。環状フランジ１４０４は、開部１４０６を有し、その中にボルトを受ける。筒状ハブ１４０２の下端部は、筒状ハブの内部に密着して装着する下部セクション１４１０の上端部を受けるための陥凹域１４０８を有する。下部セクション１４１０の下端部は、筒状封止部１４１４を取り付けるリップ１４１２を有し、該リップは、ある外直径を有する。リップの外直径は、実質的に筒状ハブ１４０２の外直径と同じである。
【００４１】
環状フランジ１４０４は、その下表面上に、少なくとも１つ、好ましくは２つの環状陥凹部１４１６を有する。各環状陥凹部１４１６は、シーリング材ダム又はシーリング材の層を含むように適していて、それらを床表面に押し付ける。いくつかの実施形態では、環状フランジ１４１６は、内側環状陥凹部及び外側環状陥凹部を有する。環状フランジの内側環状陥凹部は、シーリング材ダムとして、床の上に押し付けられている筒状独立気泡発泡ガスケット又はエラストマーガスケットを含む。環状フランジの外側環状陥凹部は、床の上に押し付けられているシーリング材層を含む該シーリング材ダムは、下張床内の穴にシーリング材が入ることを防止する。
【００４２】
筒状ボア１４２０ａ及び１４２０ｂは、筒状ハブ１４０２と下部セクション１４１０の壁とを通過する。ボルト１４２２は、そのボルトのヘッドが筒状ハブ１４０２の上端部からアクセスされ、固定されるように、これらの筒状ボアと下部セクション内の回転不能なナット１４２４とを通過している。排水管１４２６内に密着するように筒状ハブを設置した後、ボルト１４２２の固定は、下部セクション１４１０を上側の筒状ハブ１４０２の方向へ引く。
【００４３】
筒状封止部１４１４は、筒状ハブ１４０２と下部セクション１４１０との間に取り付けられる。筒状封止部は、弾性ゴム又は他のエラストマーで作成される。下部セクションは、上方の筒状ハブの方へ引かれ、筒状封止部１４１４は、縮んでから、排水管１４２６の内表面の方へ外側に広がり、それによって、筒状封止部１４１４と排水管１４２６の内側との間の圧縮嵌合を提供する。新たな構造では、床材薄膜は、フランジ２２０上に設置されてもよく、取付リング１４３０は、筒状ハブの上部上にねじ止め又はボルト留めされ、床材薄膜をフランジ１４０４と取付リング１４３０との間に取り付ける。
【００４４】
ある実施形態では、筒状封止部は、筒状ハブと下部セクションとの間に取り付けられ、かつ、筒状ハブ及び下部セクションの内表面に面する。そのような実施形態では、筒状ハブの内表面は、排水管の外表面上に密着装着する。下部セクションが筒状ハブの方へ上側に引かれた場合、筒状封止部は、縮んでから、排水管の外表面の方へ内側に広がり、それによって、筒状封止部と排水管の外表面との間の圧縮嵌合を提供する。
【００４５】
他の実施形態では、第１筒状封止部は、筒状ハブと下部セクションとの間に取り付けられ、筒状ハブ及び下部セクションの内表面に面しているそして、第２筒状封止部は、筒状ハブと下部セクションとの間に取り付けられ、筒状ハブ及び下部セクションの外表面に面している。下部セクションが筒状ハブの方へ上側に引かれると、両方の筒状封止部は、縮んでから広がる。そのような実施態様では、ユーザーは、排水管の外表面上へ筒状ハブの内表面の密着装着か、排水管の内表面上への筒状ハブの外表面の密着装着かを選択できる。
【００４６】
図１５に示すように、本発明の様々な実施形態は、床とトイレフランジとの間に改良された封止を提供するために、２部構成のトイレフランジ１５００を使用する。フランジ１５００は、ハブ部材１５０８とハブから延在する環状基礎フランジ１５０６とを有する基礎部と、取付リング１５０２とを備える。不浸透性の床カバー１５０４は、フランジ１５０６と取付リング１５０２との間に設置されうる。取付リング１５０２の筒状部材１５１０は、フランジ１５００のハブ部材１５０８内に密着延在する。
【００４７】
環状基礎フランジ１５０６の上表面は、ボルト１５１２のヘッドを受けるのに適した、少なくとも２つの刻み目１５１８を有する。刻み目１５１８は、径方向にまっすぐな刻み目でもよく、又は図１５に示すように、湾曲した刻み目であってもよい。ボルト１５１２は、便器をフランジ１５００に固定するために使用される。ボルト１５１２は、座金１５１４及びボルト１５１６を備えていてもよい。
【００４８】
図１６は、排水管１６０８と連結する場合の、図１５の２部構成のトイレフランジの分解図を示す。排水管１６０８は、ハブ部材１５０８の下端部内へ密着装着する。ハブ１５０８の上部は、内表面１６０４を有する。取付リング１５０２の筒状部材１５１０は、床カバー１５０４が取付リング１５０２と環状フランジ１５０６との間に挟まれるように、ハブ１５０８の表面１６０４に接続される。いくつかの実施形態では、取付リング１５０２の筒状部材１５１０の外表面上のねじ部１６０２は、ハブ１５０８の内表面１６０４上のねじ部１６０６とかみ合い、筒状部材１５１０を表面１６０４の中にねじ止めさせうる。他の実施形態では、取付リング１５０２の筒状部材１５１０の外表面と内表面１６０４とはねじ状となっていない代わりに、表面１６０４と筒状部材１５１０とは、互いに密着して滑り込み、そして、粘着して接合されている。
【００４９】
いくつかの典型的な実施形態が特にそれらのある典型的な状況に関して詳細に説明されたが、本発明は他の実施形態も可能であり、その詳細は様々な明白な点で変更可能であると理解されるべきである。当技術分野の当業者にとって容易に明らかであるが、バリエーション及び変更は、本発明の意図及び範囲内であれば、本発明の実施範囲に入りうる。従って、前述の明細、説明、図は、例示のためだけのものであって、クレームによってのみ定義された本発明を制限するものではない。
【図１】
2013513048.tif 000003
【図２】
2013513048.tif 000004
【図３】
2013513048.tif 000005
【図４】
2013513048.tif 000006
【図５】
2013513048.tif 000007
【図６】
2013513048.tif 000008
【図７】
2013513048.tif 000009
【図８】
2013513048.tif 000010
【図９】
2013513048.tif 000011
【図１０】
2013513048.tif 000012
【図１１】
2013513048.tif 000013
【図１２】
2013513048.tif 000014
【図１３】
2013513048.tif 000015
【図１４】
2013513048.tif 000016
【図１５】
2013513048.tif 000017
【図１６】
2013513048.tif 000018
【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
下張床を通して排水管にトイレフランジを接続する方法であって、
（i）第１筒状部材を有するハブと、
（ii）前記ハブから延在する基礎フランジと、
を備えるトイレフランジを提供する提供ステップと、
前記排水管へ前記第１筒状部材を密着接続する密着接続ステップと、
前記下張床の表面の上へ、前記トイレフランジの前記基礎フランジを固定する基礎フランジの固定ステップと、
前記基礎フランジの上表面へ床材薄膜を固定する床材薄膜の固定ステップと、
前記基礎フランジ及び取付リングの間へ床材薄膜を取り付ける取付ステップと
を含む方法。
【請求項２】
請求項１記載の方法であって、
前記床材薄膜の固定ステップは、
前記基礎フランジの前記上表面へのシーリング材の第１層の塗布と、
前記シーリング材の第１層への前記床材薄膜の接着と、
を含む方法。
【請求項３】
請求項２記載の方法であって、さらに、
前記取付ステップの前に前記床材薄膜の上表面へのシーリング材の第２層の塗布と、
前記取付ステップの後に、前記シーリング材の第１層及び前記シーリング材の第２層の間への前記床材薄膜の設置と
を含む方法。
【請求項４】
請求項１記載の方法であって、
前記基礎フランジが第１筒状部材から延在している方法。
【請求項５】
請求項１記載の方法であって、
前記ハブの第２筒状部材から前記基礎フランジが延在している方法。
【請求項６】
請求項５記載の方法であって、
前記ハブの前記第２筒状部材が前記ハブの前記第１筒状部材と同軸である方法。
【請求項７】
請求項１記載の方法であって、
前記基礎フランジが前記ハブの第２筒状部材から延在しており、前記第２筒状部材は前記ハブの前記第１筒状部材と流体が流れるように接続している方法。
【請求項８】
請求項３記載の方法であって、
前記取付ステップは、
前記シーリング材の第２層の上への前記取付リングの設置と、前記下張床の上への前記取付リングの固定と、
を含む方法。
【請求項９】
請求項３記載の方法であって、
前記取付ステップは、
前記シーリング材の第２層上への前記取付リングの設置と、
前記基礎フランジを通過しているねじ状固定部での前記下張床への前記取付リングの固定と
を含む方法。
【請求項１０】
請求項３記載の方法であって、
ａ）前記第１筒状部材は、前記基礎フランジの下に存在し、かつ、前記ハブはさらに前記基礎フランジの上に第２筒状部材を含み、前記第２筒状部材は、第１ねじ状接合部を有する外部表面を備え、
ｂ）前記取付リングは、第２ねじ状接合部を有する内部表面を備え、
ｃ）前記取付ステップは、前記取付リングが前記シーリング材の第２層に接触するまでの前記第１ねじ状接合部の上への前記第２ねじ状接合部のねじ止めを含む、
方法。
【請求項１１】
請求項１記載の方法であって、
下張床の上表面上への前記トイレフランジの前記基礎フランジの前記固定ステップが、
ａ）前記下張床へのシーリング材の層の塗布と、
ｂ）前記基礎フランジの下表面の内周縁へのシーリング材ダムの装着と、
ｃ）前記シーリング材の層を介した前記下張床への前記基礎フランジの固定と
を含む方法。
【請求項１２】
請求項１記載の方法であって、
下張床の上表面上への前記トイレフランジの前記基礎フランジの前記固定ステップが、
ａ）前記下張床へのシーリング材の層の塗布と、
ｂ）前記基礎フランジの下表面内の環状陥凹部へのシーリング材ダムの装着と、
ｃ）前記シーリング材の層を介した前記下張床への前記基礎フランジの固定と
を含む方法。
【請求項１３】
仕上床を有する既存の構造へのトイレフランジの装着方法であって、
自身から延在している基礎フランジと第１筒状部材とを有する筒状ハブを備えるトイレフランジを提供する提供ステップと、
前記基礎フランジの下表面の内周縁へシーリング材ダムを装着する装着ステップと
前記仕上床内の穴を通過している排水管の内表面又は外表面へ前記筒状ハブの表面を密着装着する密着装着ステップと、
仕上床の上表面へシーリング材の層を塗布する塗布ステップと、
前記シーリング材の層を介した前記仕上床又は床材薄膜へ基礎フランジの固定する固定ステップとを含み、
前記シーリング材ダムは前記仕上床内の前記穴へのシーリング材の流入を防止する方法。
【請求項１４】
排水管への接続のためのトイレフランジであって、
前記排水管への密着接続に適した第１筒状部材を有する筒状ハブと、
前記ハブから径方向へ拡張する環状フランジを含む取付集合材と、
取付リングとを備え、
前記取付集合材は、前記取付リングと前記環状フランジとの間に床材薄膜を取り付けるのに適している
トイレフランジ。
【請求項１５】
請求項１４記載のトイレフランジであって、
前記環状フランジは、前記ハブの前記第１筒状部材から延在しているトイレフランジ。
【請求項１６】
請求項１４記載のトイレフランジであって、
前記環状フランジは、前記ハブの第２筒状部材から延在しており、前記第１筒状部材と前記第２筒状部材とが同軸であるトイレフランジ。
【請求項１７】
請求項１４記載のトイレフランジであって、
前記環状フランジが前記ハブの第２筒状部材から延在しているトイレフランジ。
【請求項１８】
請求項１４記載のトイレフランジであって、
さらにボルトと、前記取付リング及び環状フランジの間に存在する前記床材薄膜とを備え、前記ボルトは、下張床へ前記取付リングと前記環状フランジとを固定するトイレフランジ。
【請求項１９】
請求項１４記載のトイレフランジであって、さらに、
前記取付リングの内部表面上の第１ねじ状表面と、
前記取付リングの下縁から径方向へ延在している環状フランジと、
前記ハブの外部表面上の第２ねじ状表面と、
前記取付リングの下縁から径方向へ延在している前記環状フランジと前記筒状ハブから径方向に延在している前記環状フランジとの間に床材薄膜を取り付けるように、前記第２ねじ状表面上へのねじ止めに適している前記第１ねじ状表面とを備え、
前記第２ねじ状表面は、前記筒状ハブから径方向へ延在している前記環状フランジの上に延在しているトイレフランジ。
【請求項２０】
排水管への接続のためのトイレフランジ封止であって、
前記排水管への密着接続に適した第１筒状部材を有する筒状ハブと、
前記ハブから径方向に延在する環状フランジと、
取付リングと、
前記取付リング及び前記環状フランジの間への床材薄膜の取付手段と
を備える封止。
【請求項２１】
請求項２０記載のトイレフランジ封止であって、
前記取付手段は、下張床へ前記取付リング及び前記環状フランジを固定するボルトを含むトイレフランジ封止。
【請求項２２】
請求項２０記載のトイレフランジ封止であって、
前記取付手段は、
前記取付リングの内部表面上の第１ねじ状表面と、
前記取付リングの下縁から径方向へ延在する環状フランジと、
前記ハブの外部表面上の第２ねじ状表面と、
前記取付リングの下縁から径方向に延在する環状フランジ及び前記筒状ハブから径方向に延在する前記環状フランジの間に床材薄膜を取り付けるように、前記第２ねじ状表面上へねじ止めするのに適している前記第１ねじ状表面とを含み、
前記第２ねじ状表面は、前記筒状ハブから径方向へ拡張している前記環状フランジの上に延在しているトイレフランジ封止。
【請求項２３】
請求項２０記載のトイレフランジ封止であって、
前記取付手段は、
前記取付リングの外部表面上の第１ねじ状表面と、
前記取付リングの上縁から径方向に延在する環状フランジと、
前記ハブの内部表面上の第２ねじ状表面と、
前記取付リングの上縁から径方向へ延在している前記環状フランジ及び前記筒状ハブから径方向へ延在してる前記環状フランジの間に床材薄膜を取り付けるように、前記第２ねじ状表面上へねじ止めするのに適している前記第１ねじ状表面とを備えるトイレフランジ封止。
【国際調査報告】
2013513048.tif 000019
2013513048.tif 000020